(57)【要約】      （修正有）【課題】車両用計器の表示の見栄えの斬新さを高める。【解決手段】ケースと、ケースに設けられる光源と、ケースにおける光源の前面側に設けられ、光源からの光を前面側に透過させる目盛用の光透過部を有する文字板と、文字板の前面に垂直な第１方向に視て光透過部に重なる態様で、文字板の前面側に設けられ、透明な素材で形成される加飾枠とを備え、加飾枠は、第１方向に視て光透過部に重なる第１部位７０１と、第１方向に視て光透過部に重ならずかつ第１部位７０１に隣接する第２部位７０２とを含み、第１部位７０１における第２部位７０２との隣接部分７０１Ａと、第２部位７０２とに、光拡散処理が施される、車両用計器が開示される。【選択図】図６
2020128883.tif 000002
【特許請求の範囲】
【請求項１】
ケースと、
前記ケースに設けられる光源と、
前記ケースにおける前記光源の前面側に設けられ、前記光源からの光を前面側に透過させる目盛用の光透過部を有する文字板と、
前記文字板の前面に垂直な第１方向に視て前記光透過部に重なる態様で、前記文字板の前面側に設けられ、透明な素材で形成される加飾枠とを備え、
前記加飾枠は、前記第１方向に視て前記光透過部に重なる第１部位と、前記第１方向に視て前記光透過部に重ならずかつ前記第１部位に隣接する第２部位とを含み、
前記第１部位における前記第２部位との隣接部分と、前記第２部位とに、光拡散処理が施される、車両用計器。
【請求項２】
前記第１方向に沿った回転軸まわりに回転し、前記第１方向に視て先端部が前記加飾枠に重なる指針を更に含み、
前記光透過部は、前記第１方向に垂直でありかつ前記回転軸に向かう第２方向で、前記加飾枠よりも前記回転軸に近い位置まで延在する、請求項１に記載の車両用計器。
【請求項３】
前記光拡散処理は、シボにより実現され、
前記シボの形成態様は、形成場所に応じて異なる、請求項１又は２に記載の車両用計器。
【請求項４】
前記ケースの前面側に設けられる見返しを更に含み、
前記加飾枠は、
前記第１方向に視て可視となる可視部であって、前記第１部位と前記第２部位とを含む内側部と、
前記第１方向に視て前記見返しにより隠れる外側部と
前記第１方向に交差する第２方向で前記内側部と前記外側部との間の境界に位置し、前記第１方向に沿って延在し、前記光透過部からの光を反射する反射壁と、を備える、請求項１〜３のうちのいずれか１項に記載の車両用計器。
【発明の詳細な説明】
【技術分野】
【０００１】
本開示は、車両用計器に関する。
【背景技術】
【０００２】
自動車などの車両には、速度計、エンジン回転数計などの運転に必要な情報を表示する計器が搭載されている。計器は、例えば、目盛や数字などの意匠を光透過部により形成する文字板、及び意匠を指し示す指針を有している。計器は、指針により意匠を指し示すことにより、視認者に情報を表示する。例えば特許文献１には、意匠に立体感を持たせるため、表示板の前方側に意匠を覆うように配置された、リング状の透光部材を有する計器が開示されている。
【先行技術文献】
【特許文献】
【０００３】
【特許文献１】特開２００４−６１３２６号公報
【発明の概要】
【発明が解決しようとする課題】
【０００４】
しかしながら、上記のような従来技術では、車両用計器の表示の見栄えの斬新さを高めることが難しい。
【０００５】
そこで、本開示は、車両用計器の表示の見栄えの斬新さを高めることを目的とする。
【課題を解決するための手段】
【０００６】
１つの側面では、ケースと、
前記ケースに設けられる光源と、
前記ケースにおける前記光源の前面側に設けられ、前記光源からの光を前面側に透過させる目盛用の光透過部を有する文字板と、
前記文字板の前面に垂直な第１方向に視て前記光透過部に重なる態様で、前記文字板の前面側に設けられ、透明な素材で形成される加飾枠とを備え、
前記加飾枠は、前記第１方向に視て前記光透過部に重なる第１部位と、前記第１方向に視て前記光透過部に重ならずかつ前記第１部位に隣接する第２部位とを含み、
前記第１部位における前記第２部位との隣接部分と、前記第２部位とに、光拡散処理が施される、車両用計器が提供される。
【発明の効果】
【０００７】
本開示によれば、車両用計器の表示の見栄えの斬新さを高めることが可能となる。
【図面の簡単な説明】
【０００８】
【図１】車両用計器の一実施例である計器を前面側から見た部分正面図である。
【図２】図１のＩＩ−ＩＩ線に沿う断面図である。
【図３】図２の領域ＩＩＩの拡大図である。
【図４】反射壁の作用を説明するための説明図である。
【図５】図１のＣ１部の拡大図である。
【図６】シボ形成領域の一例を示す説明図である。
【図７】周方向に沿った明るさ（光量）の変化のイメージ図である。
【図８】第１変形例を示す説明図である。
【図９】第２変形例を示す説明図である。
【図１０】第２変形例による目盛延長部と指針との位置関係の説明図である。
【発明を実施するための形態】
【０００９】
以下、添付図面を参照しながら各実施例について詳細に説明する。
【００１０】
図１は、車両用計器の一実施例である計器１を前面側から見た部分正面図である。図２は、図１のＩＩ−ＩＩ線に沿う断面図である。図３は、図２の領域ＩＩＩの拡大図である。なお、車両用計器は、例えば自動車や二輪車などの車両や、船舶、農業機械、建設機械に搭載されてよい。本実施例においては、一例として、車両用計器が、自動車のインストルメントパネル内に搭載された計器である例を用いて説明する。
【００１１】
以下の説明において、「前面（前）側」は、図１の手前側及び図２における上側（カバー６０側）であり、視認者（運転者）に視認される側を意味する。「背面（後）側」は、図１の奥側及び図２における下側（カバー６０に対する外ケース４２側）を意味する。
【００１２】
計器１は、車両のインストルメントパネル内に搭載されている。計器１は、速度計２や、エンジン回転数計、表示パネルなど（図１においては省略）を介して、運転者（視認者）に種々の情報を表示する。速度計２は、車両の速度を表示する指針式（機械式）計器である。
【００１３】
計器１は、指針１１と、指針基部１２と、文字板２０と、回路基板３０と、ケース４０と、見返し５０と、カバー６０と、加飾枠７０と、を含む。
【００１４】
指針１１は、指針基部１２を介して指針駆動部３２の指針軸に接続されている。指針１１は、文字板２０の面に平行する面上を回転することにより、速度に対応する文字板２０の目盛２５（意匠）を指し示す。指針１１及び指針基部１２は、指針カバー１５により覆われている。なお、以下では、特に言及しない限り、径方向（文字板２０の面に対して垂直な方向に交差する第２方向の一例）及び周方向は、指針軸（指針１１の回転軸）を基準とする。
【００１５】
文字板２０は、指針１１の背面側に設けられている。文字板２０は、基材２１と、遮光層２２と、意匠層２３と、を有している。基材２１は、例えば透過性（透光性）を有するポリカーボネート樹脂の板状部材である。遮光層２２は、基材２１の前面又は背面に形成された黒色の遮光性インキで印刷された印刷層である。なお、図２〜４においては、基材２１と遮光層２２とは、一体に図示されている。意匠層２３は、遮光層２２の前面に形成された例えば白色のインキで印刷された印刷層である。
【００１６】
本実施例においては、意匠層２３は、内縁及び外縁を有する意匠であり、目盛２５を形成する。目盛２５は、指針１１が指し示す範囲に対応して、円弧状に配置される。目盛２５は、指針１１の回転中心から放射状に線状に形成されている。目盛２５は、指針１１の回転軸を中心とした所定の半径領域に形成され、径方向内側（回転中心側）の端部である内縁（目盛内縁）２５ａと、径方向外側の端部である外縁（目盛外縁）２５ｂと、を有している。意匠層２３は、目盛２５の内側に、目盛２５に対応する速度を表す数字２６、及び速度の単位を示す文字２７も有している。
【００１７】
本実施例では、一例として、目盛２５は、内側に数字２６が付与された主目盛２５Ａと、周方向で各主目盛２５Ａの間の中間点に副目盛２５Ｂと、周方向で各主目盛２５Ａと各副目盛２５Ｂの間の中間点に補助目盛２５Ｃとを備える。主目盛２５Ａは最も太く、副目盛２５Ｂが次に太く、補助目盛２５Ｃは最も細い。なお、変形例では、補助目盛２５Ｃは省略されてもよいし、副目盛２５Ｂは、補助目盛２５Ｃと同じ太さであってもよい。
【００１８】
また、本実施例では、一例として、目盛２５は、目盛内縁２５ａを周方向に連続させる円弧状の内縁側円弧部２５Ｄを有する。なお、内縁側円弧部２５Ｄは、目盛内縁２５ａを含む態様で形成される。
【００１９】
なお、意匠層２３は、遮光層２２において目盛、数字、文字及び記号などの意匠を抜き文字状に形成した箇所に透光性のインキを印刷して形成してもよい。この場合の意匠は、文字板２０の背面側から照射された光源３１の光が透過することにより、点灯表示される。すなわち、この場合の意匠（目盛２５）は、光透過部により実現される。
【００２０】
回路基板３０は、文字板２０の背面側に設けられている。回路基板３０は、制御部と、光源３１と、指針駆動部３２と、を主に有している。
【００２１】
制御部は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などを有しており、例えば、ＲＯＭに書き込まれたプログラムに従って所定の演算処理を実行する。制御部は、例えば、車両のＥＣＵ（Ｅｌｅｃｔｒｏｎｉｃ  Ｃｏｎｔｒｏｌ  Ｕｎｉｔ）から車速、各種車両情報などを、各種センサなどを介して取得する。制御部は、取得した情報に基づき、光源３１、指針駆動部３２などを駆動制御する。
【００２２】
光源３１は、ＬＥＤ（Ｌｉｇｈｔ  Ｅｍｉｔｔｉｎｇ  Ｄｉｏｄｅ）であり、文字板２０を背面側から照明する。指針駆動部３２は、入力された車両の走行速度に応じて、指針軸を回転する。
【００２３】
ケース４０は、内部空間に、指針１１、文字板２０及び回路基板３０を収容する。ケース４０は、中ケース４１と、外ケース４２と、を有している。
【００２４】
中ケース４１は、白色などの遮光性の合成樹脂（例えばポリプロピレン）からなり、文字板２０及び回路基板３０を固定し、外ケース４２内で支持する。外ケース４２は、黒色などの遮光性の合成樹脂（例えばポリプロピレン）からなり、計器１の背面を形成する。
【００２５】
見返し５０は、黒色などの遮光性の合成樹脂（例えばポリプロピレン）からなる。見返し５０は、外ケース４２（ケース）の前面側に取り付けられている。見返し５０は、計器１の前面側のケースとしても機能している。また、見返し５０は、文字板２０上の不要な領域を覆ったり、文字板２０を区画したりする。
【００２６】
カバー６０は、例えば透光性のポリカーボネート樹脂や無機ガラスからなる。カバー６０は、文字板２０や回路基板３０に塵埃などが入らないように、見返し周縁５１で形成される開口を覆うことにより、見返し５０の前面側に取り付けられている。
【００２７】
加飾枠７０は、透明な枠体である。なお、本明細書において、「透明」とは、後述するシボのない状態において、可視光の透過率が７０％以上である特性を表す。加飾枠７０は、例えば無色透明なアクリル樹脂からなるリング状の枠であり、文字板２０の前面に接して設けられている。加飾枠７０は、露出部７１（内側部の一例）と、反射壁７５と、被覆部７６（外側部の一例）と、を有している。なお、加飾枠７０は円形に限らず、四角など他の形状であってもよい。
【００２８】
露出部７１は、意匠としての目盛２５が形成される半径領域に重なって設けられており、視認者１００に対して露出した部分である。露出部７１は、基部７２と、内縁（露出部内縁）７１ａと、外縁（露出部外縁）７１ｂと、隆起部７３と、を有している。
【００２９】
基部７２は、文字板２０の前面に接する部分であり、略一定の所定の厚さ（文字板２０との積層方向長さ）を有している。露出部内縁７１ａは、露出部７１（加飾枠７０）の内側の周縁であり、文字板２０との積層方向において目盛内縁２５ａ（の位置）と一致している。なお、露出部内縁７１ａは、目盛内縁２５ａよりも外側であってもよい。
露出部外縁７１ｂは、加飾枠７０の露出部７１における外側の周縁であり、文字板２０との積層方向において目盛外縁２５ｂ（の位置）と一致している。露出部外縁７１ｂは、基部７２と隆起部７３（反射壁７５）との交わる点から、文字板２０方向に下ろした垂線である。
【００３０】
隆起部７３は、基部７２における露出部内縁７１ａから所定量だけ露出部外縁７１ｂ側の位置から露出部外縁７１ｂ側に向けて前面方向の突出量が多くなるように、緩やかな曲線的に傾斜した部分である。隆起部７３は、加飾枠７０を介して視認者１００に視認させる目盛２５を立体的にする視覚的効果に作用する。
【００３１】
反射壁７５は、隆起部７３の外側端面であり、露出部外縁７１ｂにおいて基部７２から前面側に立ち上がる壁である。反射壁７５は、加飾枠７０に入射した目盛２５の光を反射し、視認者１００に反射光１０２を視認させる。反射壁７５は、基部７２に対して垂直に立ち上がるのみならず、露出部外縁７１ｂに対して微量の傾斜を有していてもよい。反射壁７５の高さ及び傾斜は、基部７２の厚さや目盛２５との位置に応じて、目盛２５を好適に反射するように適宜設定される。
【００３２】
被覆部７６は、文字板２０と見返し５０との間に挟まれて、見返し５０に被覆される部分である。すなわち、被覆部７６は、視認者には視認されない部分である。被覆部７６は、露出部外縁７１ｂから外側に伸びており、基部７２同様、略一定の所定の厚さ（文字板２０との積層方向長さ）を有している。被覆部７６は、加飾枠７０を文字板２０に固定するための固定部として、固定用凸部７７を有している。固定用凸部７７は、文字板２０の孔２９と嵌まり合い、熱が加えられることにより孔２９に溶着される。固定用凸部７７は、視認者に視認されないことが好ましいため、可能な限り加飾枠７０の外側に設けられるのが好ましい。
【００３３】
このような計器１は、加飾枠７０が作用することにより、文字板２０上の意匠の外観を向上させることができる。
【００３４】
ここで、図４は、反射壁７５の作用を説明するための説明図である。
【００３５】
反射壁７５は、文字板２０上の目盛２５の光１０１を反射する。反射光１０２は、点線１０３で示すように、目盛２５が形成されていない反射壁７５の外側、すなわち被覆部７６に目盛２５が形成されているかのように、視認者１００に視認させる。このため、視認者１００は、目盛２５が目盛外縁２５ｂから領域１０５にも伸びているように見え、実際の目盛２５よりも長い目盛を視認することになる。例えば、限られた文字板２０上の範囲内で所望する長さの目盛２５を形成できない場合であっても、加飾枠７０を介して視認者１００に視認させることにより実際よりも長い目盛を視認者１００に視認させることができる。
【００３６】
また、固定用凸部７７は、見返し５０により被覆されているにもかかわらず、斜め方向から覗き込んだ場合には視認者１００に視認されるおそれがある。これに対しては、反射光１０２を作用させることにより、固定用凸部７７が視認者１００に視認されなくなる。これにより、固定用凸部７７の位置の設計自由度を向上させることができる。
【００３７】
次に、図５以降を参照して、上述した計器１における見栄えの斬新さを高めることができる構成について、主に説明する。
【００３８】
図５は、図１のＣ１部の拡大図である。図６は、シボ形成領域の一例を示す説明図であり、図５の絵に対して、シボ形成領域がハッチングで図示されている。図６では、分かりやすくするために、第１部位７０１におけるシボ形成領域（隣接部分７０１Ａ）と第２部位７０２におけるシボ形成領域とは、それぞれ、異なるハッチングが付与されている。以下では、文字板２０に対して垂直な方向（第１方向の一例）を、文字板２０に対する「面直方向」とも称する。また、文字板２０に対する面直方向のビューを「正面視」とも称する。
【００３９】
加飾枠７０は、正面視で、目盛２５に重なる第１部位７０１と、正面視で、目盛２５に重ならずかつ第１部位７０１に隣接する第２部位７０２とを有する。なお、第１部位７０１及び第２部位７０２は、上述した加飾枠７０の露出部７１を形成する。
【００４０】
本実施例では、加飾枠７０は、露出部７１の前面の一部にシボが形成される。すなわち、加飾枠７０は、露出部７１の全体ではなく一部だけにシボが形成される。具体的には、図５及び図６に示すように、第１部位７０１は、第２部位７０２との隣接部分７０１Ａ（周方向及び径方向の隣接部分７０１Ａ）だけにシボが形成され、第２部位７０２は、全体にシボが形成される。なお、シボが形成された部位は、シボが形成されない部位に比べて、光の乱反射（拡散性）が促進される。従って、シボが形成された部位は、光拡散処理が施される部位に対応する。なお、シボは、加飾枠７０を成形するための金型に微細な凹凸を機械的又は化学的に形成することで、形成することができる。
【００４１】
なお、本実施例では、補助目盛２５Ｃは、細いため、第１部位７０１における補助目盛２５Ｃに重なる部分は、全体にシボが形成される。換言すると、かかる部分は、第２部位７０２との隣接部分７０１Ａとなり、シボが形成される。他方、本実施例では、第１部位７０１における副目盛２５Ｂに重なる部分は、一部だけにシボが形成されるが、これに限られない。すなわち、補助目盛２５Ｃと同様に、第１部位７０１における副目盛２５Ｂに重なる部分は、全体にシボが形成されてもよい。
【００４２】
ところで、第２部位７０２にシボが形成されると、シボが形成される領域と、第１部位７０１におけるシボが形成されていない領域との間の、コントラストが、周方向に沿って交互に発生する。すなわち、露出部７１において、シボが形成されていない領域は比較的明るく、シボが形成されている領域は比較的暗くなり、周方向に沿って明暗が変化する見栄えとなる。これにより、見栄えの斬新さを高めることができる。
【００４３】
また、本実施例では、シボが形成されない領域が、第１部位７０１に設定されるので、見栄えの斬新さを高めることによる不都合、すなわち目盛２５の視認性が悪化してしまうという不都合を低減できる。
【００４４】
具体的には、本実施例では、一例として、指針１１は、図１に示すように、正面視で、先端部が加飾枠７０に重なる。すなわち、指針１１は、目盛２５が形成される半径領域に重なる態様で延在する。従って、正面視で指針１１が目盛２５と重なる領域には、加飾枠７０が介在することになる。このため、加飾枠７０におけるシボの形成態様によっては、目盛２５の視認性が悪化しうる。
【００４５】
この点、本実施例では、上述のように、第１部位７０１の全てにシボが形成されるわけではないので、加飾枠７０におけるシボに起因して目盛２５の視認性が悪化してしまう可能性を、低減できる。
【００４６】
また、本実施例では、第１部位７０１のうちの、一部にシボが形成され、当該一部が、第１部位７０１における第２部位７０２との隣接部分７０１Ａ（周方向及び径方向の隣接部分７０１Ａ）である。これにより、第１部位７０１に一切シボが形成されずに第２部位７０２の全体にのみシボが形成される比較例（図示せず）に比べて、見栄えの斬新さを高めることができる。すなわち、第１部位７０１における第２部位７０２との隣接部分７０１Ａは、光を拡散することで、第２部位７０２に入射する光量を増加させる機能も有する。また、第１部位７０１における第２部位７０２との隣接部分７０１Ａは、第１部位７０１の一部であるがゆえに、第２部位７０２に比べて、光源３１からの光を多く受け、その分だけ、明るくなる。従って、本実施例の場合、比較例に比べて、周方向及び径方向に沿った明るさ（濃淡の色）が徐々に変化するという斬新な見栄えを実現できる。
【００４７】
具体的には、周方向の各位置に対する明るさの関係（周方向に沿った濃淡の色の変化）のイメージを示す図７を参照して説明する。図７では、横軸に、周方向の各位置が示され、区間Ａ１は、第１部位７０１における隣接部分７０１Ａ以外に対応し、区間Ａ２は、隣接部分７０１Ａに対応し、区間Ａ３は、第２部位７０２に対応する。また、図７では、縦軸に明るさ（光量）を示す。図７に示すように、周方向で、第１部位７０１における隣接部分７０１Ａ以外の区間Ａ１では、最も明るく、隣接部分７０１Ａの区間Ａ２では、第１部位７０１における周方向の中心から外側に向かうにつれて徐々に暗くなり、第２部位７０２に対応する区間Ａ３に連続する。そして、第２部位７０２の区間Ａ３では、第２部位７０２における周方向の中心が最も暗くなる態様で、当該中心に向かうにつれて徐々に暗くなる。本実施例では、このような明るさの変化を伴う斬新な見栄えを実現できる。
【００４８】
また、本実施例では、加飾枠７０の前面にシボが形成されているので、文字板２０からシボ形成領域までの距離（文字板２０に対する面直方向の距離）が、加飾枠７０の背面にシボが形成される場合よりも、長くなる。これにより、シボでの光の拡散が効率的に実現される。ただし、変形例では、加飾枠７０の背面に、前面側に凹む凹部を形成し、当該凹部の表面にシボが形成されてもよい。
【００４９】
ここで、本実施例では、シボ形成領域におけるシボの形成態様は、同じであるが、異なる態様であってよい。すなわち、シボの形成態様は、形成場所に応じて異なってもよい。例えば、第１部位７０１のシボ形成領域（隣接部分７０１Ａ）におけるシボの形成態様は、第２部位７０２のシボ形成領域におけるシボの形成態様とは異なってもよい。あるいは、これに代えて又は加えて、第２部位７０２のシボ形成領域におけるシボの形成態様は、周方向の位置に応じて異なってもよい。例えば、第２部位７０２のシボ形成領域におけるシボの形成態様は、周方向で第１部位７０１から離れるほど目地が細かくなる態様であってもよい（この場合、一の第２部位７０２の周方向の中心位置が最も目地が細かくなる）。この場合、周方向で主目盛２５Ａ及び副目盛２５Ｂに近づくほど明るくなる（クリアになる）ので、目盛２５（特に主目盛２５Ａ及び副目盛２５Ｂ）の視認性を高めることができる。あるいは、逆に、第２部位７０２のシボ形成領域におけるシボの形成態様は、周方向で第１部位７０１に近づくほど細かくなる態様であってもよい（この場合、一の第２部位７０２の周方向の中心位置が最も目地が荒くなる）。この場合も斬新な見栄えを実現できる。
【００５０】
次に、図８及び図９を参照して、上述した図５の構成に対する変形例について説明する。
【００５１】
図８は、第１変形例を示す説明図であり、図５の絵に対して、シボ形成領域がハッチングで図示されている。図８では、分かりやすくするために、第１部位７０１におけるシボ形成領域（隣接部分７０１Ａ）と第２部位７０２におけるシボ形成領域とは、それぞれ、異なるハッチングが付与されている。
【００５２】
第１変形例は、上述した実施例に対して、目盛２５が内縁側円弧部２５Ｄを備えていない点が異なる。また、これに対応して、第１変形例は、上述した実施例に対して、第１部位７０１のうちの、シボが形成される部分が異なる。具体的には、第１変形例では、第１部位７０１は、第２部位７０２と径方向では隣接せず、第１部位７０１における第２部位７０２との周方向の隣接部分７０１Ａにのみ、シボが形成される。
【００５３】
このような第１変形例によっても、上述した実施例と同様の効果が奏される。
【００５４】
図９は、第２変形例を示す説明図であり、図５の絵に対して、シボ形成領域がハッチングで図示されている。図９では、第１部位７０１におけるシボ形成領域（隣接部分７０１Ａ）と第２部位７０２におけるシボ形成領域とは、ハッチングで示されていないが、図６と同じである。また、図９には、加飾枠７０の径方向内側の縁部が太い２点鎖線Ｌ２で示されている。図１０は、第２変形例による目盛延長部２５Ｅと指針１１との位置関係の説明図であり、指針１１が断面内に存在するときの計器１の断面図である。
【００５５】
第２変形例は、上述した実施例に対して、目盛２５が、内縁側円弧部２５Ｄよりも径方向内側に目盛延長部２５Ｅを備える点が異なる。目盛延長部２５Ｅは、正面視で、径方向内側の端部が加飾枠７０に重ならないように径方向内側まで延在する。すなわち、図１０に示すように、目盛延長部２５Ｅは、指針１１と径方向で距離Δ１だけ重なる。なお、図９では、目盛延長部２５Ｅは、主目盛２５Ａ、副目盛２５Ｂ、及び補助目盛２５Ｃのそれぞれに対して形成されるが、主目盛２５Ａ及び副目盛２５Ｂのみに対して形成されてもよいし、主目盛２５Ａのみに対して形成されてもよい。
【００５６】
このような第２変形例によっても、上述した実施例と同様の効果が奏される。また、第２変形例によれば、目盛延長部２５Ｅを有するので、指針１１と目盛延長部２５Ｅとの関係の視認性が、加飾枠７０（及びそこに形成されるシボ）によって影響されない。この結果、上述のように斬新な見栄えを維持しつつ、指針１１と目盛２５との関係の視認性を更に高めることができる。
【００５７】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【符号の説明】
【００５８】
１      計器
２      速度計
１１    指針
１２    指針基部
１５    指針カバー
２０    文字板
２１    基材
２２    遮光層
２３    意匠層
２５    目盛
２５ａ  目盛内縁
２５ｂ  目盛外縁
２５Ａ  主目盛
２５Ｂ  副目盛
２５Ｃ  補助目盛
２５Ｄ  内縁側円弧部
２５Ｅ  目盛延長部
２６    数字
２７    文字
２９    孔
３０    回路基板
３１    光源
３２    指針駆動部
４０    ケース
４１    中ケース
４２    外ケース
５０    見返し
５１    見返し周縁
６０    カバー
７０    加飾枠
７１    露出部
７０１  第１部位
７０１Ａ  隣接部分
７０２  第２部位
７１ａ  露出部内縁
７１ｂ  露出部外縁
７２    基部
７３    隆起部
７５    反射壁
７６    被覆部
７７    固定用凸部
１００  視認者
１０１  光
１０２  反射光
１０３  点線
【図１】
2020128883.tif 000003
【図２】
2020128883.tif 000004
【図３】
2020128883.tif 000005
【図４】
2020128883.tif 000006
【図５】
2020128883.tif 000007
【図６】
2020128883.tif 000008
【図７】
2020128883.tif 000009
【図８】
2020128883.tif 000010
【図９】
2020128883.tif 000011
【図１０】
2020128883.tif 000012